(57)【要約】【課題】光走査装置内の温度分布の偏りによるカラー画像の色ずれを防止することのできる光走査装置及び画像形成装置を提供することである。【解決手段】光走査装置６は、光ビームを発生する光源ユニット５２，５３，５４，５５と、この光源ユニット５２，５３，５４，５５から発生された光ビームを偏向走査するポリゴンミラー６２と、複数の発熱源と、光源ユニット５２，５３，５４，５５並びにポリゴンミラー６２を収容するとともに、複数の発熱源をポリゴンミラー６２の回転軸を中心としてほぼ対称に取り付けられてなる光学ハウジング５０とからなる。【選択図】    図２
2004354847.tif 000002
【特許請求の範囲】
【請求項１】
光ビームを発生する光源と、この光源から発生された光ビームを偏向走査する光偏向器と、複数の発熱源と、前記光源並びに光偏向器を収容するとともに、前記複数の発熱源を前記光偏向器の回転軸を中心としてほぼ対称に取り付けられてなる筐体とからなることを特徴とする光走査装置。
【請求項２】
請求項１に記載の光走査装置において、前記発熱源が前記光源を駆動する光源用駆動制御部及び、前記光偏向器を駆動するものであって前記光偏向器とは別体に設けられた光偏向器用駆動制御部であり、この光源用駆動制御部と光偏向器用駆動制御部とが、前記筐体における前記光偏向器の回転軸を中心としてほぼ対称の位置に取り付けられていることを特徴とする光走査装置。
【請求項３】
光ビームを偏向走査する光偏向器と、この光偏向器を収容するとともに、前記光偏向器の回転により発生する気流中、高温の気流が向かう側にヒートシンクを取り付けられてなる筐体とからなることを特徴とする光走査装置。
【請求項４】
請求項３に記載の光走査装置において、前記ヒートシンクが断熱材を介して前記筐体に取り付けられていることを特徴とする光走査装置。
【請求項５】
光ビームを偏向走査する光偏向器と、この光偏向器を収容するとともに、前記光偏向器の近傍にその光偏向器の回転軸に対して傾いており、且つ、走査する光ビームがなす仮想平面と交わるような案内面を備えた放熱ガイドを取り付けられてなる筐体とからなることを特徴とする光走査装置。
【請求項６】
請求項５に記載の光走査装置において、前記放熱ガイドが複数のフィンを有することを特徴とする光走査装置。
【請求項７】
請求項５または６に記載の光走査装置において、前記放熱ガイドの一部が前記筐体を貫通して外部に露出していることを特徴とする光走査装置。
【請求項８】
請求項７に記載の光走査装置において、前記放熱ガイドの筐体外に露出した部分を冷却する冷却手段を設けたことを特徴とする光走査装置。
【請求項９】
請求項５ないし８の何れか一項に記載の光走査装置において、前記放熱ガイドが前記筐体よりも熱伝導率の高い材質で形成されていることを特徴とする光走査装置。
【請求項１０】
請求項１ないし９の何れか一項に記載の光走査装置により像担持体に光ビームを照射して潜像を形成することを特徴とする画像形成装置。
【請求項１１】
像担持体に光ビームを照射して潜像を形成する光走査装置と、第１の発熱源と、前記光走査装置並びに前記第１の発熱源を収容する装置本体とを有する画像形成装置であって、
前記光走査装置は、光ビームを発生する光源と、この光源から発生された光ビームを偏向走査する光偏向器と、第２の発熱源と、前記光源並びに光偏向器を収容するとともに、前記装置本体の前記第１の発熱源により加熱される側に対して前記光偏向器の回転軸を中心として略反対側となる位置に前記第２の発熱源を取り付けられてなる筐体とからなることを特徴とする画像形成装置。
【請求項１２】
請求項１１に記載の画像形成装置において、前記光走査装置の筐体に取り付けられた前記第２の発熱源が、前記光偏向器を駆動するものであって前記光偏向器とは別体に設けられた光偏向器用駆動制御部であることを特徴とする画像形成装置。
【請求項１３】
請求項１１に記載の画像形成装置において、前記光走査装置の筐体に取り付けられた前記第２の発熱源が、通電により発熱するヒータであることを特徴とする画像形成装置。
【請求項１４】
請求項１３に記載の画像形成装置において、前記光走査装置の筐体における、前記装置本体の前記第１の発熱源により加熱される側と、それと前記光偏向器の回転軸を中心として略反対側との温度をそれぞれ温度検知手段より検知し、その検知信号により前記ヒータの加熱を制御することを特徴とする画像形成装置。
【請求項１５】
像担持体に光ビームを照射して潜像を形成する光走査装置と、第１の発熱源と、前記光走査装置並びに前記第１の発熱源を収容する装置本体とを有する画像形成装置であって、
前記光走査装置は、光ビームを発生する光源と、この光源から発生された光ビームを偏向走査する光偏向器と、前記光源並びに光偏向器を収容する筐体とを備え、前記光走査装置の筐体もしくはその近傍に、前記装置本体の前記第１の発熱源により加熱される側からそれと前記光偏向器の回転軸を中心として略反対側へ通じ、且つ、前記装置本体の前記第１の発熱源により加熱される空気を前記光偏向器の回転軸を中心として略反対側へ送風するファンを備える流路を設けたことを特徴とする画像形成装置。
【請求項１６】
像担持体に光ビームを照射して潜像を形成する光走査装置と、第１の発熱源と、前記光走査装置並びに前記第１の発熱源を収容する装置本体とを有する画像形成装置であって、
前記光走査装置は、光ビームを発生する光源と、この光源から発生された光ビームを偏向走査する光偏向器と、第２の発熱源と、前記光源並びに光偏向器を収容する筐体とを備え、前記光走査装置の筐体もしくはその近傍に、前記第２の発熱源から前記第１の発熱源により加熱される側と前記光偏向器の回転軸を中心として略反対側へ通じ、且つ、前記第２の発熱源により加熱される空気を前記光偏向器の回転軸を中心として略反対側へ送風するファンを備える流路を設けたことを特徴とする画像形成装置。
【請求項１７】
請求項１５または１６に記載の画像形成装置において、前記光走査装置の筐体における、前記装置本体の前記第１の発熱源により加熱される側と、それと前記光偏向器の回転軸を中心として略反対側との温度をそれぞれ温度検知手段より検知し、その検知信号により前記ファンを制御することを特徴とする画像形成装置。
【請求項１８】
像担持体に光ビームを照射して潜像を形成する光走査装置と、第１の発熱源と、前記光走査装置並びに前記第１の発熱源を収容する装置本体とを有する画像形成装置であって、
前記光走査装置は、光ビームを発生する光源と、この光源から発生された光ビームを偏向走査する光偏向器と、第２の発熱源と、前記光源並びに光偏向器を収容する筐体とを備え、前記第２の発熱源が前記光偏向器の回転により発生する気流中、高温の気流が前記第１の発熱源により加熱される側と前記光偏向器の回転軸を中心として略反対側へ向かうように前記光偏向器の回転方向と前記第２に発熱源を配置する位置とが設定されていることを特徴とする画像形成装置。
【請求項１９】
請求項１０〜１８の何れか一項に記載の画像形成装置において、前記第１の発熱源が加熱定着装置であることを特徴とする画像形成装置。
【発明の詳細な説明】
【０００１】
【発明の属する技術分野】
本発明は、光走査装置及び画像形成装置に関する。
【０００２】
【従来の技術】
従来、複数の光源から出射される光ビームを、並設された４つの像担持体に照射して潜像の書き込みを行い、各像担持体上に形成された潜像を異なる色の現像剤（例えば、イエロー、マゼンタ、シアン、ブラックのトナー）でそれぞれ現像して可視像化した後、転写搬送ベルト等に担持された記録用紙等の転写材を各像担持体の転写部に順次搬送し、各像担持体上に形成された各色の可視像を転写材に重ね合わせて転写した後、転写材上に転写された画像を定着してカラー画像を得るタンデム式のカラー画像形成装置が知られている。このようなタンデム式のカラー画像形成装置において、従来から各像担持体への潜像の書き込みを像担持体毎に個別的に設けた光走査装置により別個に行うものが知られているが、ポリゴンミラーとその駆動用モータからなる光偏向器を用いた光走査装置は比較的高価であり、各像担持体に個別に光走査装置を設けることは部品コストや製造コストの点で問題がある。また、光偏向器を有する光走査装置を像担持体の数に対応して複数設置するためには大きな設置スペースを必要とするため、画像形成装置全体が大型化するという問題もある。
【０００３】
【特許文献１】
特開２００２−１２７４９７号公報
上記文献には、タンデム式のカラー画像形成装置の低コスト化、小型化を図るために、複数の像担持体へ光書き込みを行う光走査装置として、光偏向器を複数の光源で共通化し、一つの光偏向器で複数の光源からの光ビームを同時に偏向走査して複数の像担持体に照射し光書き込みを行うことが開示されている。
【０００４】
このように一つの光偏向器で複数の光源からの光ビームを同時に偏向走査して複数の像担持体に照射し光書き込みを行う光走査装置は、複数の光源ユニットと、一つの光偏向器と、光偏向器を中心にして２方向に対称に配置され光偏向器により偏向走査される複数の光ビームをそれぞれ対応する被走査面上に導き結像する光学系とを備えた構成であり、これらの光学系の部材を一つのハウジングに収納した構成であるので、従来の複数の光書き込み装置を備えた構成と比べて部品点数を削減でき、設置スペースも小さくて済むので、画像形成装置の低コスト化及び小型化を図ることができる。さらに、上記ハウジングやｆθレンズを樹脂製とすることにより大幅なコストダウンが見込める。
【０００５】
【発明が解決しようとする課題】
しかしながら、上記構成の光走査装置を備えた画像形成装置において、特に樹脂製のｆθレンズ等は温度変動があると熱膨張により光学特性が変化して像面での走査速度が変動し画像の倍率が変化してしまう。そのｆθレンズ等の光学素子が温度変化する原因としては、光走査装置内に設けられた発熱要素により、装置内の温度分布が偏る、光走査装置周囲に配置された発熱する画像形成ユニット、例えば定着ユニットの影響により光走査装置内の温度分布が偏る、光偏向器の回転に伴って発生する高温の熱流がｆθレンズの一部に当たって温度分布が偏る等が考えられる。よって、これらの原因により光路中にあるｆθレンズ等の光学素子の温度が各々変化すると、熱膨張により主走査方向の倍率がそれぞれ異なってしまうため、カラー画像に色ずれが発生するという不具合があった。
【０００６】
本発明は、上記した光走査装置内の温度分布の偏りによるカラー画像の色ずれを防止することのできる光走査装置及び画像形成装置を提供することを目的としている。
【０００７】
【課題を解決するための手段】
上記課題を解決するため、本発明の光走査装置は、光ビームを発生する光源と、この光源から発生された光ビームを偏向走査する光偏向器と、複数の発熱源と、前記光源並びに光偏向器を収容するとともに、前記複数の発熱源を前記光偏向器の回転軸を中心としてほぼ対称に取り付けられてなる筐体とからなることを特徴としている。
【０００８】
なお、本発明の光走査装置において、前記発熱源が前記光源を駆動する光源用駆動制御部及び、前記光偏向器を駆動するものであって前記光偏向器とは別体に設けられた光偏向器用駆動制御部であり、この光源用駆動制御部と光偏向器用駆動制御部とが、前記筐体における前記光偏向器の回転軸を中心としてほぼ対称の位置に取り付けられていると、効果的である。
【０００９】
また、上記課題を解決するため、本発明の光走査装置は、光ビームを偏向走査する光偏向器と、この光偏向器を収容するとともに、前記光偏向器の回転により発生する気流中、高温の気流が向かう側にヒートシンクを取り付けられてなる筐体とからなることを特徴としている。
【００１０】
なお、本発明の光走査装置において、前記ヒートシンクが断熱材を介して前記筐体に取り付けられている効果的である。
さらにまた、上記課題を解決するため、本発明の光走査装置は、光ビームを偏向走査する光偏向器と、この光偏向器を収容するとともに、前記光偏向器の近傍にその光偏向器の回転軸に対して傾いており、且つ、走査する光ビームがなす仮想平面と交わるような案内面を備えた放熱ガイドを取り付けられてなる筐体とからなることを特徴としている。
【００１１】
なお、本発明の光走査装置において、前記放熱ガイドが複数のフィンを有すると、効果的である。
さらに、本発明の光走査装置において、前記放熱ガイドの一部が前記筐体を貫通して外部に露出していると、効果的である。
【００１２】
さらにまた、本発明の光走査装置において、前記放熱ガイドの筐体外に露出した部分を冷却する冷却手段を設けると、効果的である。
さらにまた、本発明の光走査装置において、前記放熱ガイドが前記筐体よりも熱伝導率の高い材質で形成されていると、効果的である。
【００１３】
上記課題を解決するため、本発明の画像形成装置は、請求項１ないし９の何れか一項に記載の光走査装置により像担持体に光ビームを照射して潜像を形成することを特徴としている。
【００１４】
また、上記課題を解決するため、本発明の画像形成装置は、像担持体に光ビームを照射して潜像を形成する光走査装置と、第１の発熱源と、前記光走査装置並びに前記第１の発熱源を収容する装置本体とを有する画像形成装置であって、前記光走査装置は、光ビームを発生する光源と、この光源から発生された光ビームを偏向走査する光偏向器と、第２の発熱源と、前記光源並びに光偏向器を収容するとともに、前記装置本体の前記第１の発熱源により加熱される側に対して前記光偏向器の回転軸を中心として略反対側となる位置に前記第２の発熱源を取り付けられてなる筐体とからなることを特徴としている。
【００１５】
なお、本発明の画像形成装置において、前記光走査装置の筐体に取り付けられた前記第２の発熱源が、前記光偏向器を駆動するものであって前記光偏向器とは別体に設けられた光偏向器用駆動制御部であると、効果的である。
【００１６】
さらに、本発明の画像形成装置において、前記光走査装置の筐体に取り付けられた前記第２の発熱源が、通電により発熱するヒータであると、効果的である。
さらにまた、本発明の画像形成装置において、前記光走査装置の筐体における、前記装置本体の前記第１の発熱源により加熱される側と、それと前記光偏向器の回転軸を中心として略反対側との温度をそれぞれ温度検知手段より検知し、その検知信号により前記ヒータの加熱を制御すると、効果的である。
【００１７】
さらにまた、上記課題を解決するため、本発明の画像形成装置は、像担持体に光ビームを照射して潜像を形成する光走査装置と、第１の発熱源と、前記光走査装置並びに前記第１の発熱源を収容する装置本体とを有する画像形成装置であって、前記光走査装置は、光ビームを発生する光源と、この光源から発生された光ビームを偏向走査する光偏向器と、前記光源並びに光偏向器を収容する筐体とを備え、前記光走査装置の筐体もしくはその近傍に、前記装置本体の前記第１の発熱源により加熱される側からそれと前記光偏向器の回転軸を中心として略反対側へ通じ、且つ、前記装置本体の前記第１の発熱源により加熱される空気を前記光偏向器の回転軸を中心として略反対側へ送風するファンを備える流路を設けたことを特徴としている。
【００１８】
さらにまた、上記課題を解決するため、本発明の画像形成装置は、像担持体に光ビームを照射して潜像を形成する光走査装置と、第１の発熱源と、前記光走査装置並びに前記第１の発熱源を収容する装置本体とを有する画像形成装置であって、前記光走査装置は、光ビームを発生する光源と、この光源から発生された光ビームを偏向走査する光偏向器と、第２の発熱源と、前記光源並びに光偏向器を収容する筐体とを備え、前記光走査装置の筐体もしくはその近傍に、前記第２の発熱源から前記第１の発熱源により加熱される側と前記光偏向器の回転軸を中心として略反対側へ通じ、且つ、前記第２の発熱源により加熱される空気を前記光偏向器の回転軸を中心として略反対側へ送風するファンを備える流路を設けたことを特徴としている。
【００１９】
なお、本発明の画像形成装置において、前記光走査装置の筐体における、前記装置本体の前記第１の発熱源により加熱される側と、それと前記光偏向器の回転軸を中心として略反対側との温度をそれぞれ温度検知手段より検知し、その検知信号により前記ファンを制御すると、効果的である。
【００２０】
さらにまた、上記課題を解決するため、本発明の画像形成装置は、像担持体に光ビームを照射して潜像を形成する光走査装置と、第１の発熱源と、前記光走査装置並びに前記第１の発熱源を収容する装置本体とを有する画像形成装置であって、前記光走査装置は、光ビームを発生する光源と、この光源から発生された光ビームを偏向走査する光偏向器と、第２の発熱源と、前記光源並びに光偏向器を収容する筐体とを備え、前記第２の発熱源が前記光偏向器の回転により発生する気流中、高温の気流が前記第１の発熱源により加熱される側と前記光偏向器の回転軸を中心として略反対側へ向かうように前記光偏向器の回転方向と前記第２に発熱源を配置する位置とが設定されていることを特徴としている。
【００２１】
なお、請求項１０〜１８の何れか一項に記載の画像形成装置において、前記第１の発熱源が加熱定着装置であると、効果的である。
【発明の実施の形態】
【００２２】
以下、本発明の実施の形態を添付図面にしたがって説明する。
図１は、本発明に係る光走査装置を備えたタンデム式画像形成装置の一例を示す概略説明図である。
【００２３】
図１において、４ドラムフルカラーの電子写真方式の画像形成装置であり、装置本体１内には、４個の像担持体ユニットである感光体ユニット２Ａ，２Ｂ，２Ｃ及び２Ｄが装置本体１に対してそれぞれ着脱可能に装着されている。この装置本体１内の略中央には、複数のローラに巻き掛けられ、矢示Ａ方向に走行する転写ベルト３が張装されている。この転写ベルト３の上側の面には、４個の感光体ユニット２Ａ，２Ｂ，２Ｃ，２Ｄにそれぞれ設けられている感光体ドラム５Ａ〜５Ｄが接触するように、その感光体ユニット２Ａ〜２Ｄがそれぞれ配設されている。その感光体ユニット２Ａ〜２Ｄは、図１で右から左に向けてイエロー色用の感光体ユニット２Ａ、マゼンタ色用の感光体ユニット２Ｂ、シアン色用の感光体ユニット２Ｃ、ブラック色用の感光体ユニット２Ｄの順にそれぞれ配置されているが、その配置順はそれ以外であってもよい。
【００２４】
感光体ユニット２Ａ〜２Ｄには、それぞれ使用するトナーの色が異なる現像装置１０Ａ〜１０Ｄが配設され、この感光体ユニット２Ａ〜２Ｄの上方には光走査装置６が設けられ、その下方で装置本体１内の下部には上下２段にサイズの異なる転写紙を収納可能な給紙カセット１１と１２が配設されている。
【００２５】
転写ベルト３の転写紙搬送方向下流側には、画像が転写された転写紙の画像を定着する定着装置９が設けられ、定着装置９の転写紙搬送方向下流側には画像形成を終えた転写紙を、排紙ローラ対１９を介して排紙トレイ２０上に排出するための反転搬送路２１が形成されている。
【００２６】
感光体ユニット２Ａ〜２Ｄは、同一の構成をしたユニットであり、感光体ユニット２Ａはイエロー色に対応する画像を形成し、感光体ユニット２Ｂはマゼンタ色に対応する画像を形成し、感光体ユニット２Ｃはシアン色に対応する画像を形成し、感光体ユニット２Ｄはブラック色に対応する画像を形成する。そして、この感光体ユニット２Ａ〜２Ｄには、各感光体ドラム５Ａ〜５Ｄの表面を帯電する帯電ローラ１４Ａ〜１４Ｄがそれぞれ設けられている。
【００２７】
画像形成装置は、作像動作を開始させると、各感光体ドラム５Ａ〜５Ｄが図１で時計回り方向にそれぞれ回転する。そして、その各感光体ドラム５Ａ〜５Ｄの表面が、その感光体ドラム５と各帯電装置の帯電ローラ１４Ａ〜１４Ｄとの間に電圧が印加されることにより一様に帯電される。その感光体ユニット２Ａの感光体ドラム５Ａの帯電面には、光走査装置６によりイエロー色の画像に対応するレーザ光が照射される。また、感光体ユニット２Ｂの感光体ドラム５Ｂの帯電面には、光走査装置６によりマゼンタ色の画像に対応するレーザ光が、感光体ユニット２Ｃの感光体ドラム５Ｃの帯電面にはシアン色の画像に対応するレーザ光が、さらに感光体ユニット２Ｄの感光体ドラム５Ｄの帯電面にはブラック色の画像に対応するレーザ光がそれぞれ照射され、そこに各色に対応した潜像がそれぞれ形成される。形成された各潜像は、感光体ドラム５Ａ〜５Ｄが回転することにより現像装置１０Ａ，１０Ｂ，１０Ｃ及び１０Ｄの位置に達すると、そこでイエロー，マゼンタ，シアン及びブラックの各トナーにより現像されて、４色のトナー像となる。
【００２８】
一方、給紙カセット１１あるいは１２のうち、選択された給紙段から転写紙が分離給紙部１５あるいは１６により給紙され、それが感光体ユニット２Ａの直前に設けられているレジストローラ対１７により、各感光体ドラム５Ａ〜５Ｄ上に形成されているトナー像と一致する正確なタイミングで、それが感光体ユニット２Ａの感光体ドラム５Ａと転写ベルト３との間に向けて搬送される。その際、転写紙は、転写ベルト３の入口付近に配設している紙吸着ローラ１８によりプラスの極性に帯電され、それにより転写ベルト３の表面に静電的に吸着される。そして、転写紙は、転写ベルト３に吸着した状態で、その転写ベルト３の矢示Ａ方向への回動により同方向に搬送されながら、図２で上側の面にイエロー，マゼンタ，シアン及びブラック色の各トナー像が順次転写されていき、感光体ユニット２Ｄを通過したときには４色重ね合わせのフルカラーのトナー画像が形成される。転写後の転写紙は、定着装置９で熱と加圧力が加えられることによりトナー像が溶融定着され、その後は反転排紙路２１を通り、排紙ローラ１９を介して装置本体上部の排紙トレイ２０に反転排紙される。
【００２９】
以後、２枚以上の画像形成が指示されているときには、上述した作像プロセスが繰り返される。
図２ないし図４において、光走査装置６は、４つの光源ユニット５２，５３，５４，５５と、各光源ユニットからの光ビームＬ１，Ｌ２，Ｌ３，Ｌ４を対称な２方向に振り分けて偏向走査する光偏向器としてのポリゴンミラー６２と、このポリゴンミラー６２を中心にして前記２方向に対称に配置されポリゴンミラー６２により偏向走査される複数の光ビームＬ１，Ｌ２，Ｌ３，Ｌ４をそれぞれ対応する感光体ドラム５Ａ〜５Ｄの被走査面上に導き結像する光学系（結像用レンズ６３，６４，６９，７０，７１，７２、光路折り返し用ミラー６５，６６，６７，６８，７３，７４，７５，７６，７７，７８，７９，８０等の光学部材からなる）を備えており、これらの構成部材が筐体としての平たい箱型をした密閉状の光学ハウジング５０内に収められている。
【００３０】
光学ハウジング５０は、ポリゴンミラー６２や光学系が配設される基盤５０Ａと、基盤５０Ａの周囲を囲む枠状の側壁５０Ｂとを有すると共に、基盤５０Ａが側壁５０Ｂの略中央部に設けられて光学ハウジング５０を上下に仕切る構造であり、４つの光源ユニット５２，５３，５４，５５はハウジング５０の側壁５０Ｂに配置され、感光体ドラム５Ａ〜５Ｄの並設方向と略同方向に並設されている。また、ポリゴンミラー６２は光学ハウジング５０の基盤５０Ａの略中央部に配置され、光学系を構成する光学部材（結像用レンズ６３，６４，６９，７０，７１，７２、光路折り返し用ミラー６５，６６，６７，６８，７３，７４，７５，７６，７７，７８，７９，８０等）は基盤５０Ａの両面（上面側と下面側）に分けて配設されている。また、光学ハウジング５０の上部と下部にはカバー８７，８８が設けられており、下部側のカバー８７には光ビームを通過する開口が設けられ、その開口には防塵ガラス８３，８４，８５，８６が取り付けられている。
【００３１】
このように構成された光走査装置６では、図示しない原稿読み取り装置（スキャナー）あるいは画像データ出力装置（パーソナルコンピュータ、ワードプロセッサ、ファクシミリの受信部等）から入力される色分解された画像データを光源駆動用の信号に変換し、それに従い各光源ユニット５２，５３，５４，５５内の光源（半導体レーザ（ＬＤ））を駆動して光ビームを出射する。各光源ユニット５２，５３，５４，５５から出射された光ビームは、面倒れ補正用のシリンドリカルレンズ５６，５７，５８，５９を通り直接またはミラー６０，６１を介してポリゴンミラー６２に至り、ポリゴンモータ６２ｃで等速回転されている２段のポリゴンミラー６２ａ，６２ｂで対称な２方向に偏向走査される。なお、図２の構成ではポリゴンミラーはＬ２，Ｌ３の光ビーム用と、Ｌ１，Ｌ４の光ビーム用の上下２段に分けた構成となっているが、１つの厚めのポリゴンミラーで偏向走査する構成としてもよい。
【００３２】
ポリゴンミラー６２のポリゴンミラー６２ａ，６２ｂにより２ビームづつ２方向に偏向走査された光ビームは、例えば上下２層構成のｆθレンズ６３，６４をそれぞれ通過し、第１折り返しミラー６５，６６，６７，６８により折り返されて基盤５０Ａの開口部を通過した後、例えば長尺トロイダルレンズ等からなる第２の結像用レンズ６９，７０，７１，７２を通過し、第２折り返しミラー７３，７５，７７，７９、第３折り返しミラー７４，７６，７８，８０、防塵ガラス８３，８４，８５，８６を介して各色用の感光体ドラム５Ａ〜５Ｄの被走査面上に照射され静電潜像を書き込む。
【００３３】
このように構成された光走査装置６において、その光学ハウジング５０内には発熱源の一部として光偏向器用駆動制御部や光源用駆動制御部がある。すなわち、光学ハウジング５０内には発熱源としてのポリゴンモータ６２ｃの制御基板やＬＤ及びＬＤ制御板を備えた光源ユニット５２，５３，５４，５５が取り付けられている。光源ユニット５２，５３，５４，５５は、図２において光学ハウジング５０の上側に設けられているが、ポリゴンモータ６２ｃの制御基板（図２ないし図４には図示していない。）はポリゴンモータ６２ｃの近傍に配置されている。このため、光学ハウジング５０を図２の方向から見渡したとき、光源ユニット５２，５３，５４，５５がある上側が温められるのに対し、その反対側である下側はあまり温まらないという現象が発生する。この結果、光学ハウジング５０内では図２の上下方向において温度差が生じ、この温度差が光学部材に不均一に熱変形させて書き込み位置のズレ等の画像品質を悪化させる原因になってしまう。
【００３４】
かかる不具合は、光学ハウジング５０を金属で作ったり、ｆθレンズ６３，６４等をガラスで作ったりすることで軽減することができるが、光学ハウジング５０やｆθレンズ６３，６４等は量産化、軽量化、低コスト化が見込める樹脂で作ることが有利であり、今後はそれらの部材を樹脂にすることが強まる傾向にある。
【００３５】
そこで、本発明は光学ハウジング５０やｆθレンズ６３，６４を樹脂で作った場合、より顕著となる上記不具合を解消すべく次の如く構成している。
図５において、ポリゴンモータ６２ｃの制御基板６２ｄをハーネス６２ｅによって該モータと接続してその設置位置をほぼ自由に設定できるように構成する。そして、その制御基板６２ｄをポリゴンモータ６２ｃの回転軸を中心として光源ユニット５２，５３，５４，５５と対称の位置に配置させる。すなわち、光源ユニット５２，５３，５４，５５が図２と同様に上側の側壁に配置されているならば、ポリゴンモータ６２ｃの制御基板６２ｄを下側の側壁もしくはその近傍に配置して温度の均一化を図る。
【００３６】
このように構成することで、光学ハウジング内５０は図５の上側が光源ユニット５２，５３，５４，５５によって温められても、その下側もポリゴンモータ６２ｃの制御基板６２ｄによって温められるので、内部の温度差が減少して温度分布が均一化される。したがって、光学部材が不均一に熱変形することによる書き込み位置のズレ等が緩和され、画像品質の劣化を防止することができる。
【００３７】
また、上記構成の光走査装置６において、図６及び７に示すように、光学ハウジング５０の基盤５０Ａ上に壁５０Ｃ，５０Ｄを設けて、該ハウジング内をｆθレンズ６３，６４が配置されている空間とは仕切られた２つの部屋を、ポリゴンミラーを中心として対称の位置に形成する。そして、その部屋の一方にはポリゴンモータ６２ｃの制御基板６２ｄを取り付け、他方には光源ユニット５２，５３，５４，５５を取り付けることで、ポリゴンモータ６２ｃの制御基板６２ｄと光源ユニット５２，５３，５４，５５とをｆθレンズ６３，６４を配置した空間と別の部屋にすることができる。このように構成すれば、ポリゴンモータ６２ｃの制御基板６２ｄと光源ユニット５２，５３，５４，５５の熱が直接ｆθレンズ６３，６４に伝わることがなく、これら制御基板６２ｄや光源ユニット５２，５３，５４，５５からｆθレンズ６３，６４へ伝わる熱を小さく抑えることができる。このとき、上記壁５０Ｃ，５０Ｄを光学ハウジング５０より熱伝導率の低い材質、プラスチック、木等にすることにより、ｆθレンズ６３，６４への熱の伝わりをより効果的に低く抑えることができる。
【００３８】
さらにまた、図６に示すように、ファン５１Ａ，５１Ｂを設けてポリゴンモータ６２ｃの制御基板６２ｄや光源ユニット５２，５３，５４，５５を配置した部屋を冷却することにより、制御基板６２ｄや光源ユニット５２，５３，５４，５５を効率良く冷却するだけでなく、壁５０Ｃ，５０Ｄも冷やし、ｆθレンズ６３，６４への熱伝導を防止できる。なお、ファン５１Ａ，５１Ｂを設けた場合、壁５０Ｃ，５０Ｄは熱伝導率の高い材質、アルミ、銅、鉄等の金属にすることが好ましい。
【００３９】
ところで、光学ハウジング５０内にはポリゴンミラー６２ａ，６２ｂの回転により気流が発生する。また、ポリゴンモータ６２ｃの近傍に制御基板６２ｄを配置した場合、その基板から熱が気流によって運ばれ、例えば図８に示すようなｆθレンズ６３，６４のそれぞれに向かう気流Ｆ１，Ｆ２が発生する。このとき、ｆθレンズ６３，６４において、上流側に制御基板６２ｄがある気流Ｆ１は基板がない気流Ｆ２より熱気を帯びるため、ｆθレンズ６４の方がｆθレンズ６３よりも高温になることが避けられない。このため、気流Ｆ１，Ｆ２により一対のｆθレンズ６３，６４に温度差が発生し、物性変化の不均一によって倍率誤差等が生じてしまい、画像品質が悪化するという問題が発生する。
【００４０】
そこで、かかる問題を軽減するため、熱気を帯びた気流Ｆ１が向かう側の光学ハウジング５０の側壁５０Ｂにヒートシンク９０を設け、熱気で温められ側を外部との熱交換によって温度上昇を抑えるように構成している。なお、ヒートシンク９０は熱伝導率の高い金属、例えば、銅、アルミ等で作られている。また、ヒートシンク９０はヒートパイプのような熱交換器で構成しても良い。
【００４１】
さらに、ヒートシンク９０は板状に形成され、光学ハウジング５０内に配置した場合は一部をハウジング外に露出させる。また、ヒートシンク９０を光学ハウジング５０内に配置した場合は定着装置等の外部熱源の熱を直接光学ハウジング５０に与えることなく、吸熱、放熱を行うことを目的としている。なお、ヒートシンク９０はフィン等を設けて表面積を大きくすると、より効果的である。
【００４２】
このように構成された光走査装置６は、ポリゴンミラー６２の回転により発生する気流Ｆ１，Ｆ２に温度差が生じていても、高温の気流Ｆ１が向かう側にヒートシンク９０が設けられているため、高温気流Ｆ１による昇温を抑え、ハウジング５０内の温度分布の均一化を図ることができる。したがって、ｆθレンズ６３とｆθレンズ６４の温度差が小さくなり、画質低下を軽減することができる。
【００４３】
次に、ポリゴンミラー６２の回転により発生する気流の対策として、該気流を拡散させ、ｆθレンズ６３，６４へ伝わる熱気を効率的に低減させることができる実施形態を図９及び図１０を用いて説明する。
【００４４】
図９は光学走査装置６の要部断面図、図１０は光学走査装置６の斜視図である。
図９及び図１０において、ポリゴンミラー６２の近傍にポリゴンミラー６２の回転軸Ｏに対して傾いており、且つ、走査光がなす仮想平面３０と交わるような案内面９１ａ，９１ｂを具備した放熱ガイド９１Ａ，９１Ｂが光学ハウジング５０と一体に設けられている。放熱ガイド９１Ａ，９１Ｂは、ポリゴンミラー６２の中心軸Ｏを中心にして、ｆθレンズ６３，６４が設けられた方向に対して９０°ずれた方向で、ポリゴンミラー６２を間にして対向する位置関係をもって配置されている。
【００４５】
放熱ガイド９１Ａ、９１Ｂは、図９及び図１１に示すように、ガイド本体９２Ａと該本体と一体に設けられた複数のフィン９２Ｂとが設けられ断面三角形に形成された熱伝導率が樹脂のハウジングよりも良い金属部品で構成されている。そして、放熱ガイド９１Ａ、９１Ｂは三角形の角部をポリゴンミラー６２に向け、その上半身部分が光学ハウジング５０内部に、下半身部分が光学ハウジング５０の外部にそれぞれ位置させるべく、ハウジング基盤５０Ａを貫通するように埋設されている。
【００４６】
かかる放熱ガイド９１Ａ，９１Ｂの配置は、ハウジング５０内の案内面９１ａ，９１ｂが、図９に示すように、ポリゴンミラー６２の回転軸Ｏに対して該ミラーから離れるほど上方となるような傾きを持ち、かつハウジングカバー８８との間に隙間が形成されている。したがって、放熱ガイド９１Ａ，９１Ｂは、その案内面９１ａ，９１ｂが回転軸Ｏに対して傾いているので、ポリゴンミラーの回転による熱流は、これらの案内面９１ａ，９１ｂに案内されて、カバー８８との隙間を通り、光学ハウジング５０内に拡散される。さらに、放熱ガイド９１Ａ，９１Ｂは、その下半身部分が光学ハウジング５０外に位置したヒートシンクとしての構成になっているので、熱交換により光学ハウジング５０の温度を下げることができる。なお、本光走査装置６は図８に示すように、光学ハウジング５０の外部に突出した放熱ガイド９１Ａ，９１Ｂの部分をファンｆ等で冷却すれば、光学ハウジング５０内の温度をより効率よく下げることができる。
【００４７】
このように、ポリゴンスミラー６２の回転に伴って発生する高温の空気は、放熱ガイド９１Ａ，９１Ｂの案内面９１ａ，９１ｂに沿ってポリゴンスミラー６２から離間した光学ハウジング５０内に流出するので、その分、流出してｆθレンズ６３，６４を加熱していた熱流が減少し、ｆθ光学素子４、４’の熱変形を画質に影響が出ない程度まで減少させることができる。しかも、放熱ガイド９１Ａ，９１Ｂはヒートシンクとして構成されているため、光学ハウジング５０の温度を下げ、画像に表れる倍率変動をより低減することができる。
【００４８】
ところで、画像形成装置本体内には幾つかの発熱する画像形成ユニットが存在し、その代表的なユニットが定着装置９である。図１に示す画像形成装置では、光学走査装置６の左端側近傍に定着装置９があり、光学走査装置６はその雰囲気温度によって図１の左端側が右端側に比べて温められる。この結果、光学走査装置６内のｆθレンズ６３，６４も、左側のｆθレンズ６３が右側のｆθレンズ６４よりも高温になるため、雰囲気温度の影響により一対のｆθレンズ６３，６４に温度差が発生し、倍率誤差等に起因して画像品質が悪化するという問題が発生する。
【００４９】
図１２から図１５は、雰囲気温度に起因する画質低下の問題を軽減もしくは解消することができるそれぞれ異なる実施形態を示している。
図１２に示す実施形態では、画像形成装置の装置本体１に設けられた第１の発熱源としての定着装置９により光学走査装置６の左側が右側より温められており、また、光学走査装置６のハウジング５０内に設けられたポリゴンモータ６２ｃの制御基板６２ｄを第２の発熱源とする。このポリゴンモータ６２ｃの制御基板６２ｄは、図５に示した実施形態と同様に、ハーネス６２ｅによって該モータと接続されている。そして、そのポリゴンモータ６２ｃの制御基板６２ｄを定着装置９で温められる側とポリゴンミラーを中心として反対側である図１２の右側の適宜な位置に配置させている。本例では、制御基板６２ｄを低温である右の側壁５０Ｂに取り付けている。
【００５０】
このように構成された光学走査装置６は、一側が第１の発熱源である定着装置９によってその一側が温められても、それとポリゴンミラーを中心として反対側に第２の発熱源である要素であるポリゴンモータ６２ｃの制御基板６２ｄを配置したので、光学ハウジング５０が雰囲気温度の影響による温度差が軽減され、光学ハウジング５０内のほぼ温度分布が均一化される。したがって、光学走査装置は外部熱の影響が少なくなり、ｆθレンズ６３，６４の熱膨張等である物性変化の差が小さくなるので、倍率変動等に起因する画像品質の悪化を抑えることができる。
【００５１】
また、図１３に示す実施形態では図８で説明したポリゴンミラー６２の回転で発生する気流Ｆ１，Ｆ２中、熱気を帯びた気流Ｆ１が定着装置９により温められる側とポリゴンミラーを中心として反対側に流れるように、ポリゴンミラー６２の回転方向と制御基板６２ｄを配置位置が設定されている。すなわち、第１の熱源である定着装置９により温められる側とポリゴンミラーを中心として反対側に流れる気流の上流側に第２の熱源である制御基板６２ｄが位置するように設定されている。また、本実施形態において、定着装置９により温められる側に図８と同様にヒートシンク９０を配置すれば、定着装置９の熱の影響を緩和することができ、このとき、ヒートシンク９０が断熱材９０ａを介して光学ハウジング５０に取り付けるようにすればより効果的となる。さらに、ヒートシンク９０は光学ハウジング５０内外の何れに設けても良いが、光学ハウジング５０の外部発熱源に対しては光学ハウジング５０外に設ける方が好ましい。
【００５２】
このように構成すれば、光学走査装置６は定着装置９により温められない低温側が熱気の帯びた気流で温められ、光学ハウジング５０内の温度分布を均一化することができる。したがって、外部温度の影響が少なくなり、ｆθレンズ６３，６４の熱膨張等である物性変化の差が小さくなるので、倍率変動等に起因する画像品質の悪化を抑えることができる。
【００５３】
さらに、図１４に示す実施形態では光学装置装置が定着装置９により温められて発生する光学ハウジング５０内の温度分布の不均一を、積極的に是正しようとするものであり、その温められる側と反対側の側壁５０Ｂに第２の発熱源としてのヒータ９５を設けている。さらに、左右のｆθレンズ６３，６４の近傍には温度検知手段としてのサーミスタ９６，９７を設けてその温度を監視し、定着側の温度とその反対側の温度とが一致するように、図示していない制御部によってヒータ９５をオン・オフ制御している。
【００５４】
このように構成された画像形成装置は、左右ｆθレンズ６３，６４の温度差を確実に無くすことができるので、物性変化が均一になり、色ずれ等がない良好な画像品質を安定して維持することができる。特に、定着装置９による加熱は画像形成装置がオンされて何回か使用されることで徐々に温められるが、ヒータ９５を制御すれば、このような緩やかの温度変化にも対応して左右ｆθレンズ６３，６４の温度差を無くすことができる。しかも、上記構成によれば、左右ｆθレンズ６３，６４の近傍の温度を監視しているので、雰囲気温度だけでなく光学ハウジング５０内部発熱源の熱も加わった温度差が発生しても、両ｆθレンズ６３，６４の温度を均一にすることができる。さらに、ヒータ９５を設けると、光学ハウジング５０内に発生する結露の解消にも有効である。
【００５５】
上記実施形態は、光学ハウジング５０の低温側をヒータ９５で積極的に加熱して内部の温度分布を均一化するものであるため、その分、光学走査装置６全体が高温になることが避けられないが、できれば光学走査装置６はその内部温度を低く抑えたい。
【００５６】
そこで、図１５に示す実施形態では高温となる定着側からその反対側に通ずる空気流路１００を形成し、その流路の任意の位置に送風ファン１０１を設けている。また、この実施形態においてもｆθレンズ６３，６４の近傍に温度検知手段サーミスタ９６，９７を設けて両者の温度差を監視している。
【００５７】
このように構成された画像形成装置では、サーミスタ９６，９７を検知温度から定着装置９側がその反対側より高温になると、送風ファン１０１を作動して定着装置９によって温められた空気をその反対側へ送る。このように定着側とその反対側の温度を監視し、ある温度差を生じると送風ファン１０１を作動することで、光学走査装置６の温度分布を均一化することができる。なお、かかる構成において、空気流路１００は光学ハウジング５０から離して設けてもよいが、図１５に示すようにその側壁に沿って設け、その際、光源ユニット５２〜５５が設置されている側の反対側と設ける。このように構成すると、図１５における上下方向だけでなく左右方向の温度分布も均一化することができる。
【００５８】
また、図１６は図１５に示す実施形態の変形例であって、本例では空気流路１００がポリゴンミラー６２近傍の熱気を定着装置９に温められる側と反対側に送風するように設けられる。かかる実施形態においてもサーミスタ９６，９７を用いて温度制御することにより、光学走査装置６の温度分布を均一にすることができる。なお、図１３から図１６に示す実施形態において、装置本体１に設けられた第１の発熱源を定着装置として説明したが、装置本体１に設けられた第１の発熱源は定着装置に限らず、除湿ヒータ、ドラムヒータ、用紙ヒータであっても良く、さらにはこれら熱源の複合された熱であっても良い。
【００５９】
【発明の効果】
請求項１の構成によれば、光ビームを発生する光源と、この光源から発生された光ビームを偏向走査する光偏向器と、複数の発熱源と、光源並びに光偏向器を収容するとともに、複数の発熱源を光偏向器の回転軸を中心としてほぼ対称に取り付けられてなる筐体とからなるので、光走査装置内の温度分布の偏りによるカラー画像の色ずれを防止することのできる。
【００６０】
請求項２の構成によれば、発熱源が光源を駆動する光源用駆動制御部及び、光偏向器を駆動するものであって光偏向器とは別体に設けられた光偏向器用駆動制御部であり、この光源用駆動制御部と光偏向器用駆動制御部とが、筐体における光偏向器の回転軸を中心としてほぼ対称の位置に取り付けられているので、光走査装置のハウジング内の温度分布をほぼ均一にすることができる。
【００６１】
請求項３の構成によれば、光ビームを偏向走査する光偏向器と、この光偏向器を収容するとともに、光偏向器の回転により発生する気流中、高温の気流が向かう側にヒートシンクを取り付けられてなる筐体とからなるので、光走査装置内の温度分布の偏りを軽減してカラー画像の色ずれを防止することのできる。
【００６２】
請求項４の構成によれば、ヒートシンクが断熱材を介して筐体に取り付けられているので、高温気流による昇温を防止することができる。
請求項５の構成によれば、光ビームを偏向走査する光偏向器と、この光偏向器を収容するとともに、光偏向器の近傍にその光偏向器の回転軸に対して傾いており、且つ、走査する光ビームがなす仮想平面と交わるような案内面を備えた放熱ガイドを取り付けられてなる筐体とからなるので、光走査装置のハウジング内の温度分布をほぼ均一にすることができる。
【００６３】
請求項６の構成によれば、放熱ガイドが複数のフィンを有するので、光走査装置内部の熱を効率良く放熱でき、ハウジング内の温度分布を比較的低い温度でほぼ均一にすることができる。
【００６４】
請求項７の構成によれば、放熱ガイドの一部が筐体を貫通して外部に露出しているので、光走査装置のハウジング内の温度上昇を抑えることができる。
請求項８の構成によれば、放熱ガイドの筐体外に露出した部分を冷却する冷却手段を設けたので、光走査装置のハウジング内の温度上昇をより効率よく抑えることができる。
【００６５】
請求項９の構成によれば、放熱ガイドが筐体よりも熱伝導率の高い材質で形成されているので、放熱効果を高めることができる。
請求項１０の構成によれば、請求項１ないし９の何れか一項に記載の光走査装置により像担持体に光ビームを照射して潜像を形成するので、光走査装置内の温度分布の偏りによるカラー画像の色ずれを防止した高品質の画像を提供することができる。
【００６６】
請求項１１の構成によれば、光走査装置は、光ビームを発生する光源と、この光源から発生された光ビームを偏向走査する光偏向器と、第２の発熱源と、光源並びに光偏向器を収容するとともに、装置本体の第１の発熱源により加熱される側に対して光偏向器の回転軸を中心として略反対側となる位置に第２の発熱源を取り付けられてなる筐体とからなるので、光走査装置内の温度分布の偏りに軽減し、カラー画像の色ずれを防止することができる。
【００６７】
請求項１２の構成によれば、光走査装置の筐体に取り付けられた第２の発熱源が、光偏向器を駆動するものであって光偏向器とは別体に設けられた光偏向器用駆動制御部であるので、光走査装置内の温度分布の偏り是正することができる。
【００６８】
請求項１３の構成によれば、光走査装置の筐体に取り付けられた第２の発熱源が、通電により発熱するヒータであるので、光走査装置内の温度分布の偏りに軽減し、カラー画像の色ずれを防止することができる。
【００６９】
請求項１４の構成によれば、光走査装置の筐体における、装置本体の第１の発熱源により加熱される側と、それと光偏向器の回転軸を中心として略反対側との温度をそれぞれ温度検知手段より検知し、その検知信号によりヒータの加熱を制御するので、光走査装置内の温度分布の偏りを確実に防止してカラー画像の色ずれを防止することができる。
【００７０】
請求項１５の構成によれば、光走査装置は、光ビームを発生する光源と、この光源から発生された光ビームを偏向走査する光偏向器と、光源並びに光偏向器を収容する筐体とを備え、光走査装置の筐体もしくはその近傍に、装置本体の第１の発熱源により加熱される側からそれと光偏向器の回転軸を中心として略反対側へ通じ、且つ、装置本体の第１の発熱源により加熱される空気を光偏向器の回転軸を中心として略反対側へ送風するファンを備える流路を設けたので、光走査装置内の温度分布の偏りに軽減し、カラー画像の色ずれを防止することができる。
【００７１】
請求項１６の構成によれば、光走査装置は、光ビームを発生する光源と、この光源から発生された光ビームを偏向走査する光偏向器と、第２の発熱源と、光源並びに光偏向器を収容する筐体とを備え、光走査装置の筐体もしくはその近傍に、第２の発熱源から第１の発熱源により加熱される側と光偏向器の回転軸を中心として略反対側へ通じ、且つ、第２の発熱源により加熱される空気を光偏向器の回転軸を中心として略反対側へ送風するファンを備える流路を設けたので、光走査装置内の温度分布の偏りに軽減し、カラー画像の色ずれを防止することができる。
【００７２】
請求項１７の構成によれば、光走査装置の筐体における、装置本体の第１の発熱源により加熱される側と、それと光偏向器の回転軸を中心として略反対側との温度をそれぞれ温度検知手段より検知し、その検知信号によりファンを制御するので、光走査装置内の温度分布の偏りを確実に防止してカラー画像の色ずれを防止することができる。
【００７３】
請求項１８の構成によれば、光走査装置は、光ビームを発生する光源と、この光源から発生された光ビームを偏向走査する光偏向器と、第２の発熱源と、光源並びに光偏向器を収容する筐体とを備え、第２の発熱源が光偏向器の回転により発生する気流中、高温の気流が第１の発熱源により加熱される側と光偏向器の回転軸を中心として略反対側へ向かうように光偏向器の回転方向と第２に発熱源を配置する位置とが設定されているので、光走査装置内の温度分布の偏りに軽減し、カラー画像の色ずれを防止することができる。
【００７４】
請求項１９の構成によれば、第１の発熱源が加熱定着装置であるので、光走査装置を定着装置の近傍に配置してもその温度による画像品質への影響を抑えることができる。
【図面の簡単な説明】
【図１】本発明に係る画像形成装置の概略構成を示す正面説明図である。
【図２】本発明に係る光走査装置の平面図である。
【図３】本発明に係る光走査装置の断面図である。
【図４】光走査装置の光路を示す説明図である。
【図５】本発明に係る光走査装置の一実施形態を示す平面図である。
【図６】図５の光走査装置の変形例を示す図である。
【図７】図６の光学ハウジングの断面説明図である。
【図８】本発明に係る光走査装置の他の実施形態を示す平面説明図である。
【図９】本発明に係る光走査装置のさらに他の実施形態を示す要部断面図である。
【図１０】図９の光学走査装置の斜視図である。
【図１１】図９に示す放熱ガイドの斜視図である。
【図１２】本発明に係る画像形成装置の一実施形態を示す光学走査装置の平面図である。
【図１３】本発明に係る画像形成装置の他の実施形態を示す光学走査装置の平面図である。
【図１４】本発明に係る画像形成装置のさらに他の実施形態を示す光学走査装置の平面図である。
【図１５】本発明に係る画像形成装置のさらに他の実施形態を示す光学走査装置の平面図である。
【図１６】図１４の画像形成装置の変形例を示す光学走査装置の平面図である。
【符号の説明】
１    装置本体
５Ａ，５Ｂ，５Ｃ，５Ｄ    感光体ドラム
６    光学走査装置
９    定着装置
５０    光学ハウジング（筐体）
５２，５３，５４，５５    光源ユニット
６２    ポリゴンミラー
６２ｄ    ポリゴンミラーの制御基板
６２ｅ    ハーネス
６３，６４    ｆθレンズ
９０    ヒートシンク
９１Ａ，９１Ｂ    放熱ガイド
９５    ヒータ
９６，９７    サーミスタ
１００    空気流路
１０１    送風ファン
【図１】
2004354847.tif 000003
【図２】
2004354847.tif 000004
【図３】
2004354847.tif 000005
【図４】
2004354847.tif 000006
【図５】
2004354847.tif 000007
【図６】
2004354847.tif 000008
【図７】
2004354847.tif 000009
【図８】
2004354847.tif 000010
【図９】
2004354847.tif 000011
【図１０】
2004354847.tif 000012
【図１１】
2004354847.tif 000013
【図１２】
2004354847.tif 000014
【図１３】
2004354847.tif 000015
【図１４】
2004354847.tif 000016
【図１５】
2004354847.tif 000017
【図１６】
2004354847.tif 000018